(57)【要約】【課題】耐久性、清掃の容易さ、美観に優れると共に既存の戸板にも後付けが可能な折戸の指詰め防止装置を提供する。【解決手段】  左右戸板（１１，１２）を有する折戸（１０）に取り付けるための指詰め防止装置であって、遮蔽カバー（２０）と、左右戸板にそれぞれに取り付けた左右一対の蝶番（３０）と、前記遮蔽カバー（２０）と前記蝶番（３０）をつなぐ連結棒（４０）からなる。前記遮蔽カバー（２０）は、前記左右戸板（１１，１２）の端面の隙間をふさぐ形状を有する。前記左右一対の蝶番（３０）の回動する羽根板（３４）遊端部は第１軸部（３５）を有する。前記連結棒（４０）は、バネ（４３）を内蔵すると共に、先端に第２軸部（４１）を有する。前記第１軸部（３５）と第２軸部（４１）が係合している。【選択図】図３
2010189879.tif 000002
【特許請求の範囲】
【請求項１】
左右戸板（１１，１２）を有する折戸（１０）に取り付けるための指詰め防止装置であって、遮蔽カバー（２０）と、左右戸板にそれぞれに取り付けた左右一対の蝶番（３０）と、前記遮蔽カバー（２０）と前記蝶番（３０）をつなぐ連結棒（４０）からなり、
前記遮蔽カバー（２０）は、前記左右戸板（１１，１２）の端面の隙間をふさぐ形状を有し、
前記左右一対の蝶番（３０）の回動する羽根板（３４）遊端部は第１軸部（３５）を有し、
前記連結棒（４０）は、バネ（４３）を内蔵すると共に、先端に第２軸部（４１）を有し、
前記第１軸部（３５）と第２軸部（４１）が係合する
ことを特徴とする折戸の指詰め防止装置。
【請求項２】
前記第１軸部（３５）が羽根板（３４）遊端部側をカールして形成された筒部（３５）であり、前記第２軸部（４１）が連結棒（４０）先端に設けられたＴ字型ジョイント（４２）の筒部（４１）である請求項１記載の装置。
【請求項３】
前記第１軸部（３５）と第２軸部（１）が軸（５０）により係合されている請求項１又は２に記載の装置。
【請求項４】
前記戸板端面に斜めに切り込み（１３）が設けられている請求項１〜３のいずれかに記載の装置。
【請求項５】
前記戸板端面に前記連結棒（４０）貫通用の溝（１４）が形成されている請求項１〜４記載の装置。
【請求項６】
請求項１〜６のいずれかに記載の指詰め防止装置が少なくとも１つ取り付けられた折戸。
【発明の詳細な説明】
【技術分野】
【０００１】
本発明は、折戸（蝶番を継ぎ手にして折り畳めるようにした戸板）の指詰め防止装置に関する。すなわち、折戸を閉じるときに、継ぎ手部の隙間に指を詰めてケガをしないようにした一種の安全装置に関する。
【背景技術】
【０００２】
上記目的の安全装置は古くから提案されている。大きく分類すると、次のようである。
【０００３】
（１）戸板を閉じても戸板の端面同士が密着しないように、予め継ぎ手部の隙間を開けておくもの（特開平１１−１５９２５４号の図７参照）
（２）継ぎ手部の隙間を遮蔽シートでふさぐもの（実用新案登録第３００４７９５号の図１〜４参照）
（３）継ぎ手部の隙間をクッション材でふさぐもの（特開平１１−１５９２５４号の図６、実開昭５７−４２０８１号、実開昭５２−９４７５５号参照）
【発明の開示】
【発明が解決しようとする課題】
【０００４】
上記従来技術は、いずれも所期の目的を達することができるが、あえて欠点を指摘すると、上記（１）は戸板端面の形成に時間と手間を要するので、既存の戸板に後付けすることは困難である。（２）と（３）は、遮蔽シートやクッション材に耐久性が不足しがちで、長期間の使用に耐えられないおそれがあり、また、汚れを落とすための清掃が難しい。
【０００５】
本発明は、耐久性、清掃の容易さ、美観に優れると共に既存の戸板にも後付けが可能な折戸の指詰め防止装置を提供することを目的とする。
【課題を解決するための手段】
【０００６】
本発明の折戸の指詰め防止装置は、左右戸板を有する折戸に取り付けるための指詰め防止装置であって、遮蔽カバーと、左右戸板にそれぞれに取り付けた左右一対の蝶番と、前記遮蔽カバーと前記蝶番をつなぐ連結棒からなり、前記遮蔽カバーは、前記左右戸板の端面の隙間をふさぐ形状を有し、前記左右一対の蝶番の羽根板遊端部は第１軸部を有し、前記連結棒は、バネを内蔵すると共に、先端に第２軸部を有し、前記第１軸部と第２軸部が係合していることを特徴とする。
【０００７】
好ましくは、前記第１軸部が羽根板遊端部側をカールして形成された筒部であり、前記第２軸部が連結棒先端に設けられたＴ字型ジョイントの筒部である。前記第１軸部と第２軸部は軸により係合するのが好ましい。
【０００８】
また、好ましくは、前記戸板端面に斜めに切り込みを設けると共に、必要に応じて前記連結棒貫通用の溝を形成する。
【発明の効果】
【０００９】
本発明では、遮蔽カバーが継ぎ手部の隙間をふさぐので、人が継ぎ手部の隙間に指を挟むおそれはない。しかも、遮蔽カバーは比較的に頑強な素材で作成することができるので、耐久性があり、清掃も容易に行うことができる。さらに遮蔽カバーは筋状・一直線に継ぎ手部の隙間をふさぐので、従来例に比べて美観に優れている。
【００１０】
以下、添付の図面に基づき、本発明の実施例を説明する。
【図面の簡単な説明】
【００１１】
【図１】本発明の一実施例である指詰め防止装置を備えた戸板を有する折戸を裏側から見た斜視図である。
【図２】前記指詰め防止装置を構成する遮蔽カバー及び連結棒の展開斜視図である。
【図３】前記指詰め防止装置の平面図である。
【図４】前記連結棒と前記蝶番の組立てる方法を示す斜視図である。
【図５】指詰め防止装置の一連の動作を示す平面図である。
【発明を実施するための最良の形態】
【００１２】
本発明の指詰め防止装置は、遮蔽カバー２０と、これを有する折戸１０に取り付けるための蝶番３０と、両者の連結棒４０からなる。
【００１３】
折戸１０の端面は戸板に対して垂直面ではなく、図５に示すように、左右折戸１１，１２共に斜めに切り込み１３（図３）を入れておくことが好ましい。
【００１４】
遮蔽カバー２０は、図１〜５に示すように、横断面が円弧部２１であり、横断面両端は折り返し２２を付けている。遮蔽カバー２０は、折戸１０の縦方向全長にわたって継ぎ手部の隙間に取り付けられている。しかし、通常、人が手を触れることがない最下部や最上部では省略することも可能である。遮蔽カバー２０は、裏側に、補強用の逆湾曲部２３及び隆起部２４を有する。この隆起部２４に連結棒４０取り付け用の切り欠き２５が設けられている。
【００１５】
遮蔽カバー２０を折戸１０に取り付ける蝶番３０は、図２〜４に示すように、左右折戸１１，１２のそれぞれ１個ずつ取り付けて左右一対とする。折戸全体では、１対でもよいが、２、３対設けるのが安定性を増す上で好ましい。蝶番３０は、ネジ３１で固定された固定板３２と、この固定板３２の一端に取り付けられた軸３３の回りに回動可能な羽根板３４からなる。左右の羽根板３４は位置をずらして設定される。羽根板３４の遊端側には、羽根板３４をカールさせて形成した筒部３５が設けられている。図面では、羽根板３４の中央に大きな切り欠き３６が設けられているが、これは重量軽減のためであり、本発明にとって必須ではない。
【００１６】
遮蔽カバー２０は、各図に示すように、蝶番３０に対して連結棒４０により連結されている。連結棒４０も蝶番対の数、すなわち好ましくは２，３本設けられる。
【００１７】
連結棒４０は、図２〜４に示すように、先端側に筒部４１を有するＴ字型ジョイント４２と、このＴ字型ジョイント末端と遮蔽カバー２０の前記切り欠き２５とを連結する引っ張りバネ４３と、このバネ４３を包囲するパイプ４４からなる。引っ張りバネの両端はフック４３ａ，４３ｂとなっており、これらのフックがＴ字型ジョイント末端の穴４５及び遮蔽カバーの切り欠き２５に取り付けられる。連結棒４０は引っ張りバネ４３を有するので伸縮が可能である。
【００１８】
連結棒４０と前記蝶番３０との接続方法は図４が示している。連結棒４０は左右折戸１１，１２の折り目の隙間を貫通して取り付けられる。この隙間が小さすぎるときには、貫通用の溝１４（図３）を折戸の端面に形成しておく必要がある。
【００１９】
連結棒４０のＴ字型ジョイント４２の先端には筒部４１が設けられており、この筒部４１と前記蝶番の左右筒部３５とを図２，４に示すように軸５０で固定すれば完成である。軸５０が抜け落ちないようにするには、軸５０に頭部５１を設けるか又は蝶番の下側筒部３５にキャップ（図示せず）を嵌めておけばよい。
【００２０】
図５に基づき、指詰め防止装置の動きを見る。図５（ａ）は折戸の閉鎖状態である。この状態から取っ手（図示省略）を持って戸板を開くと（ｂ）〜（ｆ）の状態を経て、（ｇ）で完全に開く。上記一連の動きのなかで、蝶番の羽根板３４の回動角度が変化すると共に、連結棒４０のＴ字型ジョイント４２がパイプ４４の中で前後に移動する。しかし、Ｔ字型ジョイント４２の移動量は引っ張りばね４３の作用により制御され、遮蔽カバー２０は戸板端面に押し付けられたままであるので、隙間は発生しない。このとき、戸板端面に斜めの切り欠き１３があるので、遮蔽カバー２０はなめらかにスライドする。
【００２１】
本発明によれば、遮蔽カバー２０が継ぎ手部の隙間をふさぐので、図４（ａ）のときはもちろん、（ｂ）〜（ｇ）のときにも、人が継ぎ手部の隙間に指を挟むおそれはない。しかも、遮蔽カバー２０は比較的に頑強な素材で作成することができるので、耐久性があり、清掃も容易に行うことができる。さらに遮蔽カバーは筋状に継ぎ手部の隙間をふさぐので、従来例に比べて美観に優れている。
【符号の説明】
【００２２】
１０ 折戸
１１，１２    左右折戸
２０   遮蔽カバー
２１   円弧部
２２  折り返し
２３   逆湾曲部
２４   隆起部
３０   蝶番
３１   ネジ
３２   固定板
３３   軸
３４   羽根板
３５   筒部
４０   連結棒
４１   筒部
４２   Ｔ字型ジョイント
４３   バネ
４３ａ，４３ｂ       フック
４４   パイプ
４５   穴
５０   軸
５１   頭部
【先行技術文献】
【特許文献】
【００２３】
特開平１１−１５９２５４号
実用新案登録第３００４７９５号
実開昭５７−４２０８１号
実開昭５２−９４７５５号
【図１】
2010189879.tif 000003
【図２】
2010189879.tif 000004
【図３】
2010189879.tif 000005
【図４】
2010189879.tif 000006
【図５】
2010189879.tif 000007
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
左右戸板（１１，１２）を有する折戸（１０）に取り付けるための指詰め防止装置であって、
前記左右戸板（１１，１２）の端面の隙間をふさぐ形状を有する遮蔽カバー（２０）と、
前記左右戸板（１１，１２）にそれぞれに取り付けた左右一対の蝶番（３０）と、
前記遮蔽カバー（２０）と前記蝶番（３０）をつなぐ連結棒（４０）と、
前記左右戸板（１１，１２）の折り畳み内側方向に前記連結棒（４０）を引っ張るバネ（４３）を備え、
前記バネ（４３）により、前記遮蔽カバー（２０）が前記戸板（１１，１２）の端面に絶えず押しつけられる
ことを特徴とする折戸の指詰め防止装置。
【請求項２】
左右戸板（１１，１２）を有する折戸（１０）に取り付けるための指詰め防止装置であって、
前記左右戸板（１１，１２）の端面の隙間をふさぐ形状を有する遮蔽カバー（２０）と、
前記左右戸板（１１，１２）にそれぞれに取り付けた左右一対の蝶番（３０）と、
前記遮蔽カバー（２０）と前記蝶番（３０）をつなぐ連結棒（４０）を備え、
前記左右一対の蝶番（３０）の回動する羽根板（３４）遊端部は第１軸部（３５）を有し、
前記連結棒（４０）は、バネ（４３）を内蔵すると共に、先端に第２軸部（４１）を有し、
前記第１軸部（３５）と第２軸部（４１）が係合する
ことを特徴とする折戸の指詰め防止装置。
【請求項３】
前記第１軸部（３５）が羽根板（３４）遊端部側をカールして形成された筒部（３５）であり、前記第２軸部（４１）が連結棒（４０）先端に設けられたＴ字型ジョイント（４２）の筒部（４１）である請求項２記載の装置。
【請求項４】
前記第１軸部（３５）と第２軸部（１）が軸（５０）により係合されている請求項２又は３に記載の装置。
【請求項５】
前記戸板端面に斜めに切り込み（１３）が設けられている請求項１〜４のいずれかに記載の装置。
【請求項６】
前記戸板端面に前記連結棒（４０）貫通用の溝（１４）が形成されている請求項１〜５記載の装置。
【請求項７】
請求項１〜６のいずれかに記載の指詰め防止装置が少なくとも１つ取り付けられた折戸。